(57)【要約】
【課題】
　ゴルフプレー中に於いて、ボールマーカーを使用勝手の良い状態で安全に保持し、簡便且つ迅速に使用できるボールマーカー用ホルダーの提供。
【解決手段】
　ゴルフシューズの組み紐箇所上方から差し込んで止着させるためのコ字状の挟着部２を作成し、この挟着部２の前面側に対し、ボールマーカーを保持させるための中央に小穴を穿設した円柱状のマーカー保持部３を取り付け、上記小穴にボールマーカーの突起ピンを挿入止着させるものとなす。
【選択図】　図３
0003099142.tif 000002
【実用新案登録請求の範囲】
【請求項１】
　ゴルフシューズに取り付けるボールマーカー用ホルダーであって、シューズ紐に止着させるためのコ字状の挟着部と、該挟着部の前面側へボールマーカーを保持させるための円柱状のマーカー保持部とを備え、該マーカー保持部はゴム材を主体となし、且つボールマーカーの突起ピンを挿着する挿入孔が中心部に形成されたものとなしてあることを特徴とするボールマーカー用ホルダー。
【請求項２】
　コ字状の挟着部は、板状の基板後面に断面略鈎形状の係止フックを取り付けた構成となしてあることを特徴とする請求項１記載のボールマーカー用ホルダー。
【請求項３】
　円柱状のマーカー保持部は、高さ寸法を凡そ０．８ｃｍ〜１．２ｃｍ、直径寸法を凡そ０．８ｃｍ〜１．５ｃｍとなしてあることを特徴とする請求項１又は２記載のボールマーカー用ホルダー。
【考案の詳細な説明】
【技術分野】
【０００１】
　本考案は、ゴルフのプレー中にグリーン上で使用するボールマーカーを携帯するために使用するボールマーカー用ホルダーに関するものである。
【背景技術】
【０００２】
　ゴルフのプレーに於いて、ボールがグリーン上に載った場合、プレーヤーは次打者の妨げにならないようにボール位置をマークするためにボールマーカーを使用する。従来、このようなボールマーカーとしては、直径寸法が凡そ１．７ｃｍ〜２．０ｃｍ程度のコイン状のマーク盤の片面中央に長さ寸法が凡そ０．７ｃｍ〜１．０ｃｍ程度の突起ピンが設けられたものが知られている。
【０００３】
　このようなボールマーカーは、使用しないときにはズボンやシャツ等のポケットにティー等の小物と一緒に入れて持ち歩くか、パターなどのゴルフクラブのグリップ後端に穿設されている穴に差し込んで携行し、マークする際にポケットや穴から適宜取り出して使用する。
【０００４】
　上記に於いて、ボールマーカーをポケットに入れて持ち歩く場合には、ボールマーカーが比較的小さいのでティー等と混じって取り出し難く、また、グリップの穴に差し込んで携行する場合にも、紛失しやすい上に、グリーン上でマークする際にプレーヤー自身がそのボールマーカーを挿着したパターなどを手にしていないためにプレーが遅滞するなどの不具合が生じることもあった。
【０００５】
　一方、これらの改善策として、マーカーホルダーを別途作成し、これにボールマーカーを保持させて携行することが行われている。例えば、ベルト等の装身具を挟み込み或いは挿通させる取付部を有する本体金具と、ゴルフマーカーの突起ピンをスナップ機構を介して弾性保持させる挿入孔とを備えたマーカーホルダーを使用してボールマーカを携行させる方法（特許文献１参照）や、突起ピンに周溝を形成し、この周溝を嵌め込むＵ字溝が形成される前面立ち上がり部の弾性でマーカーを抜け止めできるようにさせたベルトに差し込んで使用する携帯用具等を使用して携行させる方法（特許文献２参照）がある。しかしながら、これらのマーカーホルダーは携行するには便利であるが、複雑な機構や、ベルトの着用が必須となったり、特殊なボールマーカーにしか対応できないという欠点があった。
【特許文献１】実開平６−３９０４４号公報
【特許文献２】実開平６−４４５６８号公報
【考案の開示】
【考案が解決しようとする課題】
【０００６】
　本考案は、上記問題点を解決するためのものであり、ボールマーカーを容易且つ迅速に取り扱えるようになしたボールマーカー用ホルダーを安価にて市販に提供せんとするものである。
【課題を解決するための手段】
【０００７】
　本考案は、シューズ紐に止着させるためのコ字状の挟着部と、この挟着部の前面側へボールマーカーを保持させるための円柱状のマーカー保持部とを備え、このマーカー保持部がゴム材を主体となし、且つボールマーカーの突起ピンを挿着する挿入孔が中心部に形成されたものとなしてあることを特徴とする。
【０００８】
　この際、上記コ字状の挟着部を板状の基板後面に断面略鈎形状の係止フックを取り付けた構成となしたり、また円柱状のマーカー保持部を高さ寸法が凡そ０．８ｃｍ〜１．２ｃｍ、直径寸法が凡そ０．８ｃｍ〜１．５ｃｍのものとなす。
【考案の効果】
【０００９】
　本考案のボールマーカー用ホルダーは、シューズ紐に取り付けて使用し、またボールマーカーを挿着するマーカー保持部がゴム材を主体とし、且つその中心部に挿入孔が形成された円柱体となされているので、常時ボールマーカーを安定的に携帯し、使用時にも簡便且つ迅速に取り扱うことができるという利点がある。
【考案を実施するための最良の形態】
【００１０】
　ボールマーカーをグリーン上で簡便且つ迅速に取り扱えるようにするという目的を、シューズ紐に安定的に止着させるものとした弾性力のあるコ字状の挟着部と、ボールマーカーを安全且つ確実な脱着可能状態に保持させるものとした一定形状のマーカー保持部とで実現した。
【実施例１】
【００１１】
　図１は、本考案に係るボールマーカー用ホルダーの一実施例を示し、Ａは正面図、Ｂは背面図であり、図２は該ボールマーカー用ホルダーの使用状態を示し、Ａは側面図、ＢはＡの断面図である。
　図に於いて、１はボールマーカー用ホルダー本体であって、シューズ紐に止着させる挟着部２とボールマーカーを保持させるマーカー保持部３とを備えている。
【００１２】
　上記挟着部２は、図２に示すように、板状の基板２ａの後面に断面略鈎形状の係止フック２ｂを取り付けてコ字状に形成されている。即ち、挟着部２は、係止フック２ｂを基板２ａに比して薄い板状体により、その開放端部ｐが基板２ａに向けてくの字状に折り曲げた状態に形成させたものとなしてある。これにより、ボールマーカー用ホルダー本体１は太いシューズ紐へ簡便に挟着可能となり、且つ挿入後は抜出しないように安定的に保持されるものとなる。この際、挟着部２の係止フック２ｂは適度な弾力性を作用させるものとなされる。挟着部２は、一般的にステンレス等の金属で作成されるが、合成樹脂製となしてもよい。
【００１３】
　一方、基板２ａの前面には、ボールマーカーを挿着するマーカー保持部３が突設され、その中心部には、ボールマーカーの突起ピンを挿着するための挿入孔４が形成されている。　即ち、マーカー保持部３は、上記挟着部２の基板２ａ上に一体化させた円筒部３ａ内にゴム材３ｂを填入させ、該ゴム材３ｂの中央に挿入孔４を穿設させたものとなしてある。
【００１４】
　この際、マーカー保持部３は、高さ寸法Ｈが凡そ０．８ｃｍ〜１．２ｃｍ、直径寸法Ｄが凡そ０．８ｃｍ〜１．５ｃｍになされる。即ち、該高さ寸法Ｈは、ボールマーカーＭの突起ピンの高さ寸法ｈよりも大きく、そして直径寸法Ｄは、ボールマーカーＭの直径寸法ｄよりも小さくなされるのである。これにより、ボールマーカーＭはマーカー保持部３に安定した着脱自在状態に保持されるものとなる。
【００１５】
　上記で、ゴム材３ｂに形成される挿入孔４の寸法は任意に設計されるが、ボールマーカーＭがゴム材３ｂの弾性により密状に挿着される大きさになしてある。
【００１６】
　図３は、上記の如く構成される本考案に係るボールマーカー用ホルダーの使用状態図であり、該図に示すように、ボールマーカー用ホルダー本体１はゴルフシューズ５のシューズ紐６へ止着させて使用される。
【００１７】
　次に、上記ボールマーカー用ホルダー１の使用方法について説明する。
　ゴルフプレヤーは、図３に示す状態で、予めマーカー保持部３の挿入孔４にボールマーカーＭを挿着しておき、グリーン上にボールが載ったらそのままボール場所へ移動し、足元に装着しておいたボールマーカーＭを取り外し、その屈んだ姿勢のままボール位置をマークする。また、パッティングをする際には、ボールを元の位置に戻してボールマーカーＭを取り外し、そのままマーカー保持部３の挿入孔４へ挿着させて、パッティングを行うのである。このように、ボールマーカー用ホルダー本体１をシューズ紐に止着させたことでボールマークの一連の作業が極めてスムーズ且つ迅速に行えるのである。
【実施例２】
【００１８】
　図４は、ボールマーカー用ホルダーの別の実施態様を示す。
　該図Ａに於いて、７は上記実施例１に於けるマーカー保持部３の円筒部３ａに外嵌されるボールマーカーキャップである。このボールマーカーキャップ７は使用済みとなった中古のゴルフクラブのグリップエンドを切断して形成したものである。即ち、ゴルフクラブのグリップエンドには全てボールマーカー取り付け用の小孔９が穿設されているので、グリップの取り換えで廃棄されるものとなるグリップエンドを図示例の如く切断し、該部分の再利用化を図るのである。ここに、８は元来ゴルフクラブのシャフトが差し込まれていた嵌入孔であり、従って上記円筒部３ａの外径はクラブシャフトの外径と同一のものになされる。このため、上記円筒部３ａの作成には中古のスチールシャフトの後端部を適宜切断して使用するとよい。
　図Ｂは上記ボールマーカーキャップ７を上記例の円筒部３ａに外嵌させると共に、ボールマーカーＭを取り付けた状態を示すものである。而して、ボールマーカーキャップ７は上記実施例１に於けるマーカー保持部３と同様にボールマーカーを保持する作用をなし、突起ピンを挿着させるマーカー保持部３のゴム材３ｂの代替品として使用されるのである。　このようにボールマーカーキャップ７はグリップの廃品を利用できるので経済的であり、またその交換使用が手軽に行える上でも著効を奏する。
【００１９】
　上記実施例１に於いては、金属材の挟着部２とマーカー保持部３とを溶接して作成する外に、両者を共に合成樹脂材で一体的に形成させてもよく、或いはゴム材となしたマーカー保持部を基板に対し接着剤の使用で直接的に貼着させるようになしてもよい。
【図面の簡単な説明】
【００２０】
【図１】本考案に係るボールマーカー用ホルダーの一実施例を示すものであり、Ａは正面図、Ｂは背面図である。
【図２】本考案に係るボールマーカー用ホルダーにボールマーカーを挿着させた使用状態図であり、Ａは側面図、ＢはＡの縦断面図である。
【図３】本考案に係るボールマーカー用ホルダーをシューズ紐に止着させた使用状態図である。
【図４】本考案に係るボールマーカー用ホルダーの別の実施例を示し、Ａはボールマーカーキャップの斜視図、Ｂは該ボールマーカーキャップの使用状態の説明図である。
【符号の説明】
【００２１】
　１　　　ボールマーカー用ホルダー本体
　２　　　挟着部
　２ａ　　基板
　２ｂ　　係止フック
　３　　　マーカー保持部
　３ａ　　円筒部
　３ｂ　　ゴム材　
　４　　　挿入孔
　５　　　ゴルフシューズ
　６　　　シューズ紐
　７　　　ボールマーカーキャップ
　８　　　嵌入孔
　９　　　小孔
　Ｍ　　　ボールマーカー
【図１】
0003099142.tif 000003
【図２】
0003099142.tif 000004
【図３】
0003099142.tif 000005
【図４】
0003099142.tif 000006